(57)【要約】【課題】従来の大型映像表示機器の梱包材は、１ウエイでの使用しかできず、その後は塵となっていた。【解決手段】大型映像表示機器を梱包するための梱包体において、梱包対象の大型映像表示機器を収納する柔軟かつ耐久性に優れた素材からなるバッグ形状の外装体と、外装体の内側底部に配設され、当該外装体内に収納された梱包対象の大型映像表示機器を支える底板とを設けるようにしたことにより、多数回の繰り返し使用に耐えることができ、かくして塵の発生を格段的に低減し得る梱包体を実現できる。【選択図】        図１
2004175418.tif 000002
【特許請求の範囲】
【請求項１】
大型映像表示機器を梱包するための梱包体において、
梱包対象の上記大型映像表示機器を収納する柔軟かつ耐久性に優れた素材からなるバッグ形状の外装体と、
上記外装体の内側底部に配設され、当該外装体内に収納された上記梱包対象の大型映像表示機器を支える底板と
を具えることを特徴とする梱包体。
【請求項２】
上記外装体は、表地がキャンバス地でなる
ことを特徴とする請求項１に記載の梱包体。
【請求項３】
上記外装体の表地及び裏地間に外部からの衝撃を吸収するクッション材が配設された
ことを特徴とする請求項１に記載の梱包体。
【請求項４】
上記クッション材は、ポリエチレンからなる
ことを特徴とする請求項３に記載の梱包体。
【請求項５】
上記外装体の前面部及び後面部の左右側にそれぞれ１又は複数の取手が設けられた
ことを特徴とする請求項１に記載の梱包体。
【請求項６】
上記複数の取手は、
上記外装体の表面に沿って、当該外装体の高さ方向に並ぶように設けられた
ことを特徴とする請求項５に記載の梱包体。
【請求項７】
上記外装体は、
収納された上記大型映像表示機器の前面側を覆うように設けられたフロントカバーと、
当該大型映像表示機器の背面側を覆うように設けられたリアカバーと、
当該大型映像表示機器の側面を覆うように設けられたサイドカバーと
を有し、
上記サイドカバーは、
上記フロントカバーに固定された第１のサイドカバー半体と、
上記リアカバーに固定された第２のサイドカバー半体と、
上記第１及び第２のサイドカバーを一体に連結するオープンファスナと
を具える
ことを特徴とする請求項１に記載の梱包体。
【請求項８】
上記外装体に収納された上記大型映像表示機器の映像表示面と対向するように上記外装体に設けられた保護カバーを具える
ことを特徴とする請求項１に記載の梱包体。
【請求項９】
上記保護カバーは、ジャバラ状でなる
ことを特徴とする請求項８に記載の梱包体。
【請求項１０】
上記保護カバーは、交換自在に設けられた
ことを特徴とする請求項８に記載の梱包体。
【請求項１１】
上記底板上において上記大型映像表示機器を支持すると共に、外部衝撃を吸収することにより、当該外部衝撃から当該映像表示機器を保護する底部クッションを具える
ことを特徴とする請求項１に記載の梱包体。
【請求項１２】
上記底部クッションは、低発泡ポリエチレンからなる
ことを特徴とする請求項１１に記載の梱包体。
【請求項１３】
上記底部クッションは、交換自在に設けられた
ことを特徴とする請求項１１に記載の梱包体。
【請求項１４】
上記外装体の表面に設けられた少なくとも一部に透明窓を有するポケットを具える
ことを特徴とする請求項１に記載の梱包体。
【発明の詳細な説明】
【０００１】
【発明の属する技術分野】
本発明は、梱包体に関し、特に大型の映像表示機器を梱包するための梱包体に適用して好適なものである。
【０００２】
【従来の技術】
従来、例えば大型リアプロジェクタ、大型ＰＤＰ（Ｐｌａｓｍａ  Ｄｉｓｐｌａｙ  Ｐａｎｅｌ）を使用したプラズマテレビ等の大型映像表示機器においては、ダンボールからなる箱体内にクッション材としての発泡スチロールと共に収納されるようにして梱包されている。
【０００３】
【発明が解決しようとする課題】
しかしながら、これらダンボールや発泡スチロールは、衝撃に対する強度が小さく、また汚れに弱いという欠点を有している。このためかかる映像表示機器の梱包材は、その映像表示機器を購入者宅に届け終えた後は、再使用されることなく廃棄されていた。
【０００４】
またかかる従来の箱体やクッション材は、その大きさ及び形状が固定されているため、形状や大きさの異なる製品ごとに用意する必要があり、大きさの異なる製品間での共通化はできなかった。
【０００５】
しかしながら、近年では、地球環境の向上を図るべく、塵の素となる商品の包装や梱包の簡略化や省略化が要求されつつあり、かかる大型映像表示機器の梱包についても、なるべく塵を出さないような梱包方法が望まれる。
【０００６】
本発明は以上の点を考慮したもので、塵の発生を格段的に低減し得る梱包体を提案しようとするものである。
【０００７】
【課題を解決するための手段】
かかる課題を解決するため本発明においては、大型映像表示機器を梱包するための梱包体において、梱包対象の大型映像表示機器を収納する柔軟かつ耐久性に優れた素材からなるバッグ形状の外装体と、外装体の内側底部に配設され、当該外装体内に収納された梱包対象の大型映像表示機器を支える底板とを設けるようにした。この結果、この梱包体は、多数回の繰り返し使用に耐えることができる。
【０００８】
【発明の実施の形態】
以下図面について、本発明の一実施の形態を詳述する。
【０００９】
図１〜図３において、１は全体として大型リアプロジェクタや大型ＰＤＰ（Ｐｌａｓｍａ  Ｄｉｓｐｌａｙ  Ｐａｎｅｌ）を使用したプラズマテレビ等の大型の映像表示機器２の梱包に用いる本実施の形態による梱包体を示し、各種大きさの映像表示機器２に対応でき、また多数回の繰り返し使用に耐え得るようになされている。
【００１０】
実際上、この梱包体１においては、全体としてバッグ形状に形成されており、その外観を形成する外装体３の表地として、キャンバス地等の柔軟かつ耐久性に優れた汚れ難い素材が用いられている。また、外装体３の内側には裏地として布材等の柔らかな素材が張着されており、これら表地及び裏地間に外部からの衝撃を吸収するポリエチレン等のクッション材が配設されている。
【００１１】
また外装体３の内側底部には、図２に示すように、当該外装体３の前面部を形成するフロントカバー３Ａの下端部と、底面部を形成するアンダーカバー３Ｂと、後面部を形成するリアカバー３Ｃと、右側面下部を形成する右アンダーサイドカバー３ＤＲと、左側面下部を形成する左アンダーサイドカバー３ＤＬとにより取り囲まれるようにして、直方体形状の空間を有する底部収納室４が形成されている。
【００１２】
そしてこの底部収納室４の底部には、梱包対象の映像表示機器２を支える例えば厚さ１５〔ｍｍ〕程度の木板でなる底板５が嵌め込まれている。またこの底板５上には、低発泡ポリエチレンからなる複数の底部クッション６Ａ〜６Ｃが配設されており、これら底部クッション６Ａ〜６Ｃによって、例えば図４（Ａ）〜図５（Ａ）のように底部収納室４内に収納される梱包対象の映像表示機器２の下部２Ａ（図３）を保持し得るようになされている。
【００１３】
これによりこの梱包体１においては、外装体３に収納された梱包対象の映像表示機器２に対して当該外装体３の底面側に与えられる外部からの衝撃をこの底部クッション６Ａ〜６Ｃにより吸収して当該映像表示機器２を外部衝撃から保護すると共に、この底部クッション６Ａ〜６Ｃにより当該映像表示機器２の下部２Ａを支持することで、搬送時における当該映像表示機器２の転倒を有効に防止し得るようになされている。
【００１４】
なおこの実施の形態の場合、底板５の上面５Ａには、複数の位置決め用の突起部５Ａがそれぞれ所定位置に形成されており、底部クッション６Ａ〜６Ｃは、その底面部に形成された開口部又は凹部を、これら底板５上の各突起部６Ａ〜６Ｃのうちの対応するものに嵌め合わせるようにして、当該底板５上に交換自在にかつ位置決めされた状態に配設されている。
【００１５】
これによりこの梱包体１においては、底部クッション６Ａ〜６Ｃを梱包対象の映像表示機器２に応じたものと交換することで、種々の大きさの映像表示機器２に対応し得るようになされている。
【００１６】
一方、外装体３におけるフロントカバー３Ａの内側には、ジャバラ状の保護カバー７が取り付けられている。実際上、この保護カバー７は、外装体３と同様の表地及び裏地並びにこれら間に配設されたクッション材を有し、当該クッション材に包まれるようにして表地及び裏地間に、樹脂ダンボール材等の軽量かつ一定の強度を有する帯状の保護材が矢印ｙと平行に矢印ｘ方向に複数枚並べて配置されることにより、ジャバラ状に折り曲げ得るように構成されている。
【００１７】
また保護カバー７においては、図５（Ａ）のように外装体３の底部収納室４内に梱包対象の映像表示機器２が収納された状態において、外装体３のフロントカバー３Ａを図５（Ｂ）のようにその映像表示機器２の映像表示面２Ａが形成された前面側に被せたときに、当該映像表示機器２の前面及び上面を一体に覆い得るようにその長さが選定されている。これにより梱包体１においては、この保護カバー７によって、外装体３内に収納された映像表示機器２の映像表示面２Ｂ及び上面を保護し得るようになされている。
【００１８】
さらに保護カバー７においては、外装体３のフロントカバー３Ａの内側に例えば面ファスナ８により着脱自在に取り付けられており、これにより梱包体１を再使用する際に保護カバー７のみを新しいものと交換したり、又は外装体３を廃棄する際に保護カバー７を取り外してこれのみを再利用することができるようになされている。
【００１９】
なおこの実施の形態の場合、保護カバー７の内面（映像表示機器２との対向面）における左右端部には、それぞれ立方体又は直方体形状の第１及び第２のサイドクッション９ＡＲ、９ＢＲ、９ＡＬ、９ＢＬが配設されている。
【００２０】
この場合、第１及び第２のサイドクッション９ＡＲ、９ＢＲ、９ＡＬ、９ＢＬにおいては、それぞれ底部クッション６Ａ〜６Ｃと同様の外部からの衝撃を吸収し得る低発泡ポリエチレンから形成されており、図１及び図２のように映像表示機器２を梱包した状態において、当該梱包された映像表示機器２の側面と一面が当接するように保護カバー７に取り付けられている。
【００２１】
これによりこの梱包体１においては、例えばエレベータ等への搬入時など、当該梱包体１を横倒ししなければならない場合においても、これら第１及び第２のサイドクッション９ＡＲ、９ＢＲ、９ＡＬ、９ＢＬにより外装体３内に収納された映像表示機器２の側面部を支持することにより、当該映像表示機器２に外部からの衝撃や振動が直に与えられるのを未然に防止し得るようになされている。
【００２２】
また、これら第１及び第２のサイドクッション９ＡＲ、９ＢＲ、９ＡＬ、９ＢＬのうち、第１のサイドクッション９ＡＲ、９ＡＬは、保護カバー７に固定されているのに対し、第２のサイドクッション９ＢＲ、９ＢＬは、外装体３に収納される梱包対象の映像表示機器２の大きさに応じて図３又は図５の位置に移動でき、かつその位置に面ファスナにより固定することができるように移動自在に設けられており、これにより種々の大きさの映像表示機器２に対応し得るようになされている。
【００２３】
他方、外装体３のリアカバー３Ｃにおいては、図６（Ａ）のように外装体３の底部収納室４内に収納された梱包対象の映像表示機器２の裏面側に当該裏面側を覆うように被せたときに、その先端部が外装体３の前面部にまで回り込む程度にその長さが選定されている。
【００２４】
そしてこのリアカバー３Ｃの先端部には、第１及び第２の締結具１０、１１の半体（以下、これを第１の締結具半体と呼ぶ）１０Ａ、１１Ａがそれぞれ所定位置に固着されている。また外装体３のフロントカバー３Ａには、これら第１の締結具半体１０Ａ、１１Ａとそれぞれ対応させて第１及び第２の固定ベルト１２、１３の一部が縫い付けられており、これら第１及び第２の固定ベルト１２、１３の一端側に、それぞれ対応する第１の締結具半体１０Ａ、１１Ａと共に第１又は第２の締結具１０、１１を形成する第２の締結具半体１０Ｂ、１１Ｂが当該第１又は第２の固定ベルト１２、１３に挿通されるようにして取り付けられている。
【００２５】
このとき第１及び第２の締結具半体１０Ａ、１１Ａ、１０Ｂ、１１Ｂは、それぞれ挿通する第１又は第２の固定ベルト１２、１３に対し、固定した状態に係合し得るようになされている。
【００２６】
これによりこの梱包体１においては、図６（Ａ）のように梱包対象の映像表示機器２にリアカバー３Ｃが被せられた状態において、図６（Ｂ）に示すように、第１の締結具１０の第１及び第２の締結具半体１０Ａ、１０Ｂを結合させると共に、これと同様にして第２の締結具１１の第１及び第２の締結具半体１１Ａ、１１Ｂを結合させた後、第１及び第２の固定ベルト１２、１３の一端側を引っ張るようにして締め付けた状態で第２の締結具半体１０Ｂ、１１Ｂを対応する第１又は第２の固定ベルト１２、１３に固定した状態に係合させることによって、外装体３のリアシート３Ｃを開かないように固定し得るようになされている。
【００２７】
また図１（Ｂ）において明らかなように、第１及び第２の固定ベルト１２、１３は、それぞれ他端側が外装体３の外部底面を介して当該外装体３の後面部側にまで引き回されており、当該他端側の先端部近傍がリアカバー３Ｃに縫い付けられて固定されると共に、これら第１及び第２の固定ベルト１２、１３の他端側の先端部にそれぞれ第１の締結具半体１０Ａ、１１Ａと同じ構成を有する第３の締結具半体１０Ｃ、１１Ｃが取り付けられている。
【００２８】
これによりこの梱包体１においては、図７（Ａ）〜図８（Ａ）のようにして開梱後、図８（Ｂ）のように外装体３のフロントカバー３Ａを保護カバー７と一体に外装体３の内側に折り畳んで底部クッション６Ａ〜６Ｃ上に載せると共に、さらにその上にリアカバー３Ｃを外装体３の内側に折り畳んで載せた状態において、図８（Ｃ）のように各第２の締結具半体１０Ｂ、１１Ｂをそれぞれ対応する第３の締結具半体１０Ｃ、１１Ｃと締結状態に結合させた後、第１及び第２の固定ベルト１２、１３を締め付けた状態で第２の締結具半体１０Ｂ、１１Ｂを対応する第１又は第２の固定ベルト１２、１３に固定した状態に係合させることによって、梱包体１を梱包時の大きさ（図１及び図２）の１／３の大きさに畳むことができるようになされている。
【００２９】
さらに図１及び図２からも明らかなように、外装体３の右側面の上側部分を形成し、収納された映像表示機器２の右側面部を覆うように配設された右サイドカバー３ＥＲと、左側面の上側部分を形成し、当該映像表示機器２の左側面部を覆うように配設された左サイドカバー３ＥＬは、それぞれフロントカバー３Ａに縫合固定された第１のサイドカバー半体３ＥＲＡ、３ＥＬＡと、リアカバー３Ｃに縫合固定された第２のサイドカバー半体３ＥＲＢ、３ＥＬＢとを有し、これらがオープンファスナ１４Ｒ、１４Ｌにより開閉自在に一体に連結されることにより構成されている。
【００３０】
これによりこの梱包体１においては、図２に示すように、梱包体１を開梱した際にも右サイドカバー３ＥＲ及び左サイドカバー３ＥＬがそれぞれ側面側に広がらず、作業時の足場を確保できることから、外装体３内から映像表示機器２を取り出す際の作業性を向上させ得るようになされている。
【００３１】
なおこの実施の形態の場合、外装体３のフロントカバー３Ａの向かって左端下側には、例えば強靭な布材等からなる複数の取手１５ＦＬＡ〜１５ＦＬＣがそれぞれ一定の角度をもって左下がりにかつ外装体３の表面に沿って高さ方向（矢印ｚ）に並ぶように縫い付けられると共に、フロントカバー３Ａの向かって右端下側にも、これら取手１５ＦＬＡ〜１５ＦＬＣとそれぞれ対応させて、同じ素材からなる複数の取手１５ＦＲＡ〜１５ＦＲＣがそれぞれ左端側の各取手１５ＦＬＡ〜１５ＦＬＣと左右対称の位置関係をもって配設されている。
【００３２】
同様に、リアカバー３Ｃの向かって右端下側には、フロントカバー３Ａの左端下側の各取手１５ＦＬＡ〜１５ＦＬＣにそれぞれ対応させて、これら取手１５ＦＬＡ〜１５ＦＬＣと鏡写状の位置関係で同じ素材からなる複数の取手１５ＢＲＡ〜１５ＢＲＣが同様に設けられると共に、リアカバー３Ｃの向かって左端下側にも、これらリアカバー３Ｃの右端下側の各取手１５ＢＲＡ〜１５ＢＲＣにそれぞれ対応させて、これら取手１５ＢＲＡ〜１５ＢＲＣと左右対称の位置関係で同じ素材からなる複数の取手１５ＢＬＡ〜１５ＢＬＣが同様に設けられている。
【００３３】
これによりこの梱包体１においては、平地での搬送時には、図９に示すように、同じ高さ位置の各取手１５ＦＲＡ〜１５ＦＲＣ、１５ＦＬＡ〜１５ＦＬＣ、１５ＢＲＡ〜１５ＢＲＣ、１５ＢＬＡ〜１５ＢＬＣを手掛かりとして持つことで水平状態を維持しながら搬送でき、これに対して階段等の傾斜を有する場所での搬送時には、図１０に示すように、高い位置の人が高い位置の取手１５ＦＬＡ、１５ＢＲＡを手掛かりとして持ち、低い位置の人が低い位置の取手１５ＦＲＣ、１５ＢＬＣを手掛かりとして持つことで、低い位置の人の負担を軽減させながら搬送できるようになされている。
【００３４】
またこの実施の形態の場合、図１からも明らかなように、外装体３のフロントカバー３Ａにおける中央部には、例えばその映像表示機器２を販売するメーカの会社名及び当該映像表示機器２の商品名を表すロゴ２０が印刷されており、これによりこの梱包体１の搬送時に会社名及び商品名の宣伝をも行い得るようになされている。
【００３５】
さらにこの実施の形態の場合、図１及び図２からも明らかなように、外装体３のフロントカバー３Ａ及びリアカバー３Ｃの各所定位置には、それぞれ透明ビニール等の透明材料からなるポケット２１、２２が設けられており、これら各ポケット２１、２２に、それぞれ当該梱包体１により梱包された映像表示機器２の映像表示面の大きさ（インチ）が記載されたインチカード（図示せず）又はその映像表示機器２に関する所定の情報が記録されたバーコードラベル（図示せず）を収納し得るようになされている。
【００３６】
これによりこの梱包体１においては、当該梱包体１により梱包された映像表示機器２の配送者がこのポケット２１、２２を通して認識し得るインチカード及びバーコードラベルに基づいて指定された商品を間違えることなく当該映像表示機器２をその購入者に配送し得るようになされている。
【００３７】
さらにこの実施の形態の場合、図１及び図２からも明らかなように、外装体３のリアカバー３Ｃの表面の上端部には、当該リアカバー３Ｃにおける矢印ｙで示す幅方向の中心から同じ距離だけ離れた位置に、それぞれ金属材からなる一対の第１のトップ金具２３Ｒ１、２３Ｒ２及び第２のトップ金具２３Ｌ１、２３Ｌ２が固着されている。これによりこの梱包体１においては、これら第１のトップ金具２３Ｒ１、２３Ｒ２及び第２のトップ金具２３Ｌ１、２３Ｌ２と係合させてワイヤ等により吊り上げることもできるようになされている。
【００３８】
（２）本実施の形態の動作及び効果
以上の構成において、この梱包体１を用いて、図３〜図６に示す以下の手順により映像表示機器を梱包することができる。
【００３９】
すなわち、まず図３に示すように、梱包対象の映像表示機器２の下部２Ａを保護シート３０で覆い、この後この映像表示機器２の当該下部２Ａを、外装体３の底部収納室４内における底部クッション６Ａ〜６Ｃにより所定状態に保持されるように当該底部収納室４内に載置する。
【００４０】
続いて、図４（Ａ）のように映像表示機器２の上側を保護袋３１で包み、当該保護袋３１の左右側のあまった部分を、図４（Ｂ）のように映像表示機器２の映像表示面２Ｂ側に巻き込んで図５（Ａ）のようにテープ止めする。
【００４１】
さらに、この後図５（Ｂ）のように外装体３のフロントカバー３Ａ及び保護カバー７を映像表示機器２の映像表示面２Ｂ側に被せると共に、保護カバー７の上部を当該映像表示機器２の上側に被せ、その後図６（Ａ）のように外装体３のリアカバー３Ｃをこの映像表示機器２の裏面側から被せる。
【００４２】
次いで、外装体３のリアカバー３Ｃの先端部に取り付けられた第１及び第２の締結具１０、１１の第１の締結具半体１０Ａ、１１Ａと、第１及び第２の固定ベルト１２、１３の先端部にそれぞれ取り付けられた対応する第２の締結具半体１０Ｂ、１１Ｂとをそれぞれ結合させ、この後、第１及び第２の固定ベルト１１、１２を締めることによりリアカバー３Ｃが開かないように固定する。
【００４３】
さらにこの後、外装体３の右サイドカバー３ＥＲのオープンファスナ１４Ｒを締めて第１及び第２のサイドカバー半体３ＥＲＡ、３ＥＲＢを連結させると共に、これと同様にして外装体の左サイドカバー３ＥＬのオープンファスナ１４Ｌを締めて第１及び第２のサイドカバー半体３ＥＬＡ、３ＥＬＢを連結させる。これにより、図６（Ｂ）のように映像表示機器２を梱包することができる。
【００４４】
一方、この梱包体１は、図７及び図８に示す以下の手順により開梱し、畳むことができる。
【００４５】
すなわち、図７（Ａ）のように梱包状態にある梱包体１について、図７（Ｂ）に示すように、第１の締結具１０を形成する第１及び第２の締結具半体１０Ａ、１０Ｂの結合を解除すると共に、これと同様にして第２の締結具１１を形成する第１及び第２の締結具半体１１Ａ、１１Ｂの結合を解除し、さらに左右の各サイドカバー３ＥＲ、３ＥＬのオープンファスナ１４Ｒ、１４Ｌを開くことにより図７（Ｃ）のように外装体３を開き、映像表示機器２を露出させる。これにより、梱包された映像表示機器２を取り出すことができる。
【００４６】
次いで、図８（Ａ）に示すように、外装体３から映像表示機器２を取り出した状態において、図８（Ｂ）のように外装体３のフロントカバー３Ａを保護カバー７と一体に外装体３の内側に折り畳んで底部クッション６Ａ〜６Ｃ上に載せると共に、さらにその上にリアカバー３Ｃを外装体３の内側に折り畳んで載せる。
【００４７】
この後、外装体３の第１及び第２の固定ベルト１２、１３の一端部にそれぞれ取り付けられた第２の締結具半体１０Ｂ、１１Ｂを、当該第１及び第２の固定ベルト１２、１３の他端部にそれぞれ取り付けられた第３の締結具半体１０Ｃ、１１Ｃと締結状態に結合させた後、第１及び第２の固定ベルト１２、１３を締め付けた状態で第２の締結具半体１０Ｂ、１１Ｂを対応する第１又は第２の固定ベルト１２、１３に固定した状態に係合させる。これにより梱包体１を梱包時の大きさ（図１及び図２）の１／３の大きさに畳むことができる。
【００４８】
そしてこのように構成された梱包体１は、その表地として耐久性に優れたキャンバス地等の素材を用いているため、多数回の再使用に耐えることができることに加え、洗浄処理が易く、表面の汚れが落ち易い。またこの梱包体１は、外装体３が柔軟性を有すると共に底部クッション６Ａ〜６Ｃも梱包対象の映像表示機器２に応じたものと交換自在であるため、種々の大きさ及び形状の映像表示機器２の梱包に実用上十分に対応することができる。
【００４９】
以上の構成によれば、梱包体１をバッグ形状とし、その外装体３の表地として耐久性に優れたキャンバス地等の素材を用いるようにしたことにより、当該梱包体１を多数回繰り返し再利用できるようにすることができ、かくして塵の発生を格段的に低減し、地球環境の向上に貢献し得る梱包体を実現できる。
【００５０】
（３）他の実施の形態
なお上述の実施の形態においては、外装体３の外観形状を図１及び図２のように形成するようにした場合について述べたが、本発明はこれに限らず、この他種々の外観形状を広く適用することができる。
【００５１】
また上述の実施の形態においては、外装体３の表地としてキャンバス地を適用するようにした場合について述べたが、本発明はこれに限らず、要は、柔軟かつ耐久性に優れた素材であれば良く、外装体３の表地としてはこの他テント地等、種々の素材を広く適用することができる。
【００５２】
さらに上述の実施の形態においては、底板５として、厚さ１５〔ｍｍ〕程度の木板を適用するようにした場合について述べたが、本発明はこれに限らず、要は、梱包対象の映像表示機器２の重量に耐え得る強度を有するものであれば、その材質や厚みはこれ以外であっても良い。
【００５３】
さらに上述の実施の形態においては、外装体３の表地及び裏地間に配設するクッション材としてポリエチレンを適用するようにした場合について述べたが、本発明はこれに限らず、この他種々のクッション材を広く適用することができる。
【００５４】
さらに上述の実施の形態においては、外装体３の前面部及び後面部の左右側にそれぞれ３つの取手１５ＦＲＡ〜１５ＦＲＣ、１５ＦＬＡ〜１５ＦＬＣ、１５ＢＲＡ〜１５ＢＲＣ、１５ＢＬＡ〜１５ＢＬＣを設けるようにした場合について述べたが、本発明はこれに限らず、外装体３の前面部及び後面部の左右側にそれぞれ１つ若しくは２つ又は４つ以上の取手を設けるようにしても良い。
【００５５】
さらに上述の実施の形態においては、保護カバー７の表地及び裏地間に配設する帯状の保護材として、樹脂ダンボールを適用するようにした場合について述べたが、本発明はこれに限らず、要は、外装体３に収納された映像表示機器２を外部衝撃から保護し得る一定の強度を有するものであれば、保護材としてはこの他種々の材料を広く適用することができる。
【００５６】
さらに上述の実施の形態においては、底部クッション６Ａ〜６Ｃを低発泡ポリエチレンから形成するようにした場合について述べたが、本発明はこれに限らず、要は、多数回の使用に耐え得る耐久性を有し、外部衝撃を吸収し得る材料であれば、底部クッション６Ａ〜６Ｃの材料としては、この他種々の材料を広く適用することができる。
【００５７】
さらに上述の実施の形態においては、底板５上に底部クッション６Ａ〜６Ｃを交換自在にかつ位置決めした状態に配置し得るようにする手段として、底板５の上面の所定位置に位置決め用の突起部５Ａを形成すると共に、底部クッション６Ａ〜６Ｃの底面部に開口部又は凹部を形成し、これらを嵌め合わせるようにして底板５上に底部クッション６Ａ〜６Ｃを配置するようにした場合について述べたが、本発明はこれに限らず、例えば底板５の所定位置に開口部を形成すると共に、当該底板５と対向する底部クッション６Ａ〜６Ｃの底面部に突起部を形成し、当該底部クッション６Ａ〜６Ｃの突起部を底板５の対応する開口部に嵌め合わせるように配置することにより、底板５上に底部クッション６Ａ〜６Ｃを交換自在にかつ位置決めした状態に配置し得るようにしても良く、底板５上に底部クッション６Ａ〜６Ｃを交換自在にかつ位置決めした状態に配置し得るようにする手段としては、この他種々の手段を広く適用することができる。
【００５８】
さらに上述の実施の形態においては、外装体３の前面部及び後面部の両面にポケット２１、２２を設けるようにした場合について述べたが、本発明はこれに限らず、当該ポケット２１、２２の位置としては外装体３の表面であればどこでも良く、またポケット２１、２２の数としても２個以上であっても良い。
【００５９】
さらに上述の実施の形態においては、ポケット２１、２２を全体として透明ビニールにより形成するようにした場合について述べたが、本発明はこれに限らず、要は、ポケット２１、２２内に収納されたインチカードやバーコードカードに印刷された文字やバーコード等をポケット２１、２２の外部から認識又は読み取ることができるのであれば、ポケット２１、２２の一部に透明窓を形成するようにしても良い。
【００６０】
【発明の効果】
上述のように本発明によれば、大型映像表示機器を梱包するための梱包体において、梱包対象の大型映像表示機器を収納する柔軟かつ耐久性に優れた素材からなるバッグ形状の外装体と、外装体の内側底部に配設され、当該外装体内に収納された梱包対象の大型映像表示機器を支える底板とを設けるようにしたことにより、多数回の繰り返し使用に耐えることができ、かくして塵の発生を格段的に低減し得る梱包体を実現できる。
【図面の簡単な説明】
【図１】本実施の形態による梱包体の外観構成を示す略線的な斜視図である。
【図２】本実施の形態による梱包体の内部構成を示す略線的な分解斜視図である。
【図３】映像表示機器の梱包手順の説明に供する略線図である。
【図４】映像表示機器の梱包手順の説明に供する略線図である。
【図５】映像表示機器の梱包手順の説明に供する略線図である。
【図６】映像表示機器の梱包手順の説明に供する略線図である。
【図７】梱包体の開梱手順の説明に供する略線図である。
【図８】梱包体の開梱手順の説明に供する略線図である。
【図９】梱包体の取手の説明に供する略線図である。
【図１０】梱包体の取手の説明に供する略線図である。
【符号の説明】
１……梱包体、２……映像表示機器、３……外装体、３Ａ……フロントカバー、３Ｃ……リアカバー、３ＥＲ……右サイドカバー、３ＥＬ……左サイドカバー、５……底板、６Ａ〜６Ｃ……底部クッション、７……保護カバー、８……面ファスナ、９ＡＲ、９ＡＬ、９ＢＲ、９ＢＬ……サイドクッション、１０……締結具、１０Ａ〜１０Ｃ、１１Ａ〜１１Ｃ……締結具半体、１２、１３……固定ベルト、１４Ｒ、１４Ｌ……オープンファスナ、１５ＦＲＡ〜１５ＦＲＣ、１５ＦＬＡ〜１５ＦＬＣ、１５ＢＲＡ〜１５ＢＲＣ、１５ＢＬＡ〜１５ＢＬＣ……取手、２０……ロゴ、２１、２２……ポケット、２３Ｒ１、２３Ｒ２、２３Ｌ１、２３Ｌ２……トップ金具。
【図１】
2004175418.tif 000003
【図２】
2004175418.tif 000004
【図３】
2004175418.tif 000005
【図４】
2004175418.tif 000006
【図５】
2004175418.tif 000007
【図６】
2004175418.tif 000008
【図７】
2004175418.tif 000009
【図８】
2004175418.tif 000010
【図９】
2004175418.tif 000011
【図１０】
2004175418.tif 000012